(57)【特許請求の範囲】
【請求項１】
略山形状の押付部（３）の内端に、略平坦形状の連結部（４）を連設した第一止着体（１）と、略山形状の押付部（５）の内端に、略平坦形状の連結部（６）を連設した第二止着体（２）とからなり、
前記第一止着体（１）の連結部（４）に設けた通孔（７）と、第二止着体（２）の連結部（６）に設けた通孔（８）とにボルト（９）を挿通し、このボルト（９）にナット（１０）をねじ込んで締め付けることにより、
前記第一止着体（１）の押付部（３）が、仮囲い板（１１）の一側端に形成した側面体（１２）を上から押し付けるようにし、前記第二止着体（２）の連結部（６）が、前記側面体（１２）を下から押し付けるようにすると共に、
前記第二止着体（２）の押付部（５）の外端（５ａ）が、前記仮囲い板（１１）に沿わせたパネル状体（２１）の側端部（２１ａ）を上から押し付けるようにし、前記第一止着体（１）の連結部（４）の外端（４ａ）が、第二止着体（２）の押付部（５）を上から押し付けるようにしていることを特徴とする仮囲い板用止着具。
【請求項２】
前記通孔（７）は第一止着体（１）の連結部（４）の長さ方向に設けた長孔とし、通孔（８）は第二止着体（２）の連結部（６）の長さ方向に設けた長孔としていることを特徴とする請求項１記載の仮囲い板用止着具。
【発明の詳細な説明】
【技術分野】
【０００１】
本発明は、建設現場や資材置場等で使用される仮囲い板に、防音パネル等のパネル状体を取り付けておくための仮囲い板用止着具に関するものである。
【背景技術】
【０００２】
従来、建設現場や資材置場では、基礎工事期間中や資材の積み降ろし作業時等に騒音が発生し、この騒音が建設現場や資材置場を包囲する仮囲い板の外に洩れ、付近住民や通行人に迷惑をかけるばかりでなく、建設現場や資材置場内でも騒音が仮囲い板に反射し、作業者に不快感を与えていた。
【０００３】
そのため、このような騒音に対処するための仮囲い板として、例えば図６、７に示したように、板本体３１の内側に、軟質塩化ビニルシートよりなる防音材Ｓを設けたものが存在する（特許文献１）。
【０００４】
このような仮囲い板は、建設現場や資材置場内で発生した騒音を、板本体３１の内側に設けた軟質塩化ビニルシートよりなる防音材Ｓにより極力吸音できるので、建設現場や資材置場を包囲する仮囲い板の外に騒音が漏れにくくなり、付近住民や通行人にかける迷惑を極力低減することができると共に、建設現場や資材置場内でも騒音が仮囲い板に反射することなく吸音され、作業者に与える不快感を極力低減することができるとしている。
【０００５】
しかしながら、前記仮囲い板は、軟質塩化ビニルシートよりなる防音材Ｓの厚さが１〜２ｍｍ程度であるため防音効果が不充分で、建設物の破壊工事が伴うような特に大きな騒音が発生する建設現場での使用には充分に対処することができないという問題点を有していた。
【０００６】
そこで、本件出願人は、仮囲い板の内側に装着して使用するのに好ましい防音パネルとして、図８に示したように、ハニカム状パネル３２の多数のセル３３内にフェノールフォーム３４を埋設し、このハニカム状パネル３２にカバー３５を被せたものを、先に出願した。
【０００７】
このような防音パネルは、例えば図９、１０に示したように、建設現場や資材置場を包囲するそれぞれの仮囲い板Ｂの板本体３６の内側上下に一枚ずつ沿わせ、この板本体３６の両側面体３７間に止め板３８を掛け渡し、止め板３８の両端を両側面体３７の折曲部３７ａに設けたネジ孔にネジ３９で止めれば、この止め板３８で押さえ付けられた状態で、仮囲い板Ｂの上下に装着される。
【先行技術文献】
【特許文献】
【０００８】
【特許文献１】特開平６−２８８０９８号公報
【発明の概要】
【発明が解決しようとする課題】
【０００９】
上記のような防音パネルを装着した仮囲い板は、建設物の破壊工事が伴うような特に大きな騒音が発生する建設現場での使用にも充分に対処することのできるものとなった。
【００１０】
しかしながら、このような仮囲い板では、板本体と止め板との間に防音パネルを挟み込んでいるだけであり、防音パネルが止め板で押さえ付けられるといっても、その押さえ付ける力は弱く、板本体に防音パネルを確りと止めておくことができず、使用中に板本体から防音パネルがずれて食み出たり、場合によっては板本体から防音パネルが外れてしまうという問題点を有していた。
【００１１】
そこで、本発明は、防音パネル等のパネル状体を仮囲い板に確りと止めておくことができると共に、その止着作業も簡単に行なえる仮囲い板用止着具を提供することを目的としてなされたものである。
【課題を解決するための手段】
【００１２】
そのため、本発明の仮囲い板用止着具は、略山形状の押付部３の内端に、略平坦形状の連結部４を連設した第一止着体１と、略山形状の押付部５の内端に、略平坦形状の連結部６を連設した第二止着体２とからなり、前記第一止着体１の連結部４に設けた通孔７と、第二止着体２の連結部６に設けた通孔８とにボルト９を挿通し、このボルト９にナット１０をねじ込んで締め付けることにより、前記第一止着体１の押付部３が、仮囲い板１１の一側端に形成した側面体１２を上から押し付けるようにし、前記第二止着体２の連結部６が、前記側面体１２を下から押し付けるようにすると共に、前記第二止着体２の押付部５の外端５ａが、前記仮囲い板１１に沿わせたパネル状体２１の側端部２１ａを上から押し付けるようにし、前記第一止着体１の連結部４の外端４ａが、第二止着体２の押付部５を上から押し付けるようにしている。
【００１３】
さらに、本発明の仮囲い板用止着具において、前記通孔７は第一止着体１の連結部４の長さ方向に設けた長孔とし、通孔８は第二止着体２の連結部６の長さ方向に設けた長孔としている。
【発明の効果】
【００１４】
本発明の仮囲い板用止着具は、以上に述べたような構成としているので、防音パネル等のパネル状体を仮囲い板に確りと止めておくことができると共に、その止着作業も簡単に行なえるものとなる。
【図面の簡単な説明】
【００１５】
【図１】本発明の仮囲い板用止着具の一実施形態を示す分解斜視図である。
【図２】本発明の仮囲い板用止着具を使用して仮囲い板に防音パネルを止着した状態を示す斜視図である。
【図３】図２中に○で囲んだ部分の拡大斜視図である。
【図４】図２中に○で囲んだ部分の拡大平面図である。
【図５】図３中のＡ−Ａ線による断面図である。
【図６】従来の防音材付き仮囲い板の一例を示す斜視図である。
【図７】図６中のＢ−Ｂ線による断面図である。
【図８】従来の防音パネルの一例を示す斜視図である。
【図９】従来の仮囲い板用止着具を使用して仮囲い板に防音パネルを止着した状態を示す斜視図である。
【図１０】図９中のＣ−Ｃ線による断面図である。
【発明を実施するための形態】
【００１６】
以下、本発明の仮囲い板用止着具を実施するための形態を、図面に基づいて詳細に説明する。
【００１７】
本発明の仮囲い板用止着具は、図１に示したように、それぞれが長めの金属板や合成樹脂板よりなる第一止着体１と第二止着体２とから構成されている。
【００１８】
第一止着体１は、略山形状の押付部３の内端に、略平坦形状の連結部４を連設したものとし、第二止着体２も同様に略山形状の押付部５の内端に、略平坦形状の連結部６を連設したものとしている。このようにした第一止着体１と第二止着体２は、図示したものでは、対称形状にしているが、特に対称形状にしなくてもよい。
【００１９】
前記第一止着体１の押付部３と第二止着体２の押付部５は、平坦な円弧面状とすることにより、引っ掛かりがなく滑らかな略山形状としているが、平坦な三角屋根状などとしてもよく、略山形状としていれば特に限定されることはない。
【００２０】
前記第一止着体１の連結部４には、長さ方向に長孔とした通孔７を設け、第二止着体２の連結部６にも、長さ方向に長孔とした通孔８を設けている。そして、これら通孔７と通孔８とにボルト９を挿通し、このボルト９にナット１０をねじ込んで締め付け、第一止着体１と第二止着体２とを連結できるようにしている。なお、前記通孔７と通孔８に挿通するボルト９の位置は、これらの長孔をずらすことにより自由に変えることができるので、第一止着体１の押付部３の外端３ａから第二止着体２の押付部５の外端５ａまでの長さＬ（図４参照）を調節することができる。また、第一止着体１および第二止着体２には、それぞれの連結部４、６から押付部３、５にかけて、それらの両側部にリブＲを設け、連結部４、６および押付部３、５の強度を補強している。
【００２１】
そして、本発明の仮囲い板用止着具は、前記ボルト９にナット１０をねじ込んで締め付けることにより、第一止着体１の押付部３が、仮囲い板１１の一側端に形成した側面体１２を上から押し付けるようにし、前記第二止着体２の連結部６が、前記側面体１２を下から押し付けるようにしている。これにより、前記仮囲い板１１の一側端は、これら第一止着体１の押付部３と第二止着体２の連結部６によって挟み付けられる（図５参照）。
【００２２】
さらに、本発明の仮囲い板用止着具は、前記ボルト９にナット１０をねじ込んで締め付けることにより、第二止着体２の押付部５の外端５ａが、仮囲い板１１に沿わせた防音パネル等のパネル状体２１の側端部２１ａを上から押し付けるようにし、前記第一止着体１の連結部４の外端４ａが、第二止着体２の押付部５を上から押し付けるようにしている。これにより、第二止着体２の押付部５の外端５ａにより、防音パネル等のパネル状体２１の側端部２１ａが押し付けられた状態に維持される（図５参照）。
【００２３】
前記仮囲い板１１は、図２、３に示したように、板本体の両端部を内側に折り曲げて前記側面体１２を形成し、側面体１２の上部、中央部、下部の適宜位置にはそれぞれ仮囲い板１１どうしを繋ぐ番線の通し穴（図示せず）を設けたものとしている。さらに、前記側面体１２には、互いに突き合わせたときに位置決めしやすいように、嵌合部１３を形成したものとしている。
【００２４】
前記パネル状体２１は、防音パネルとした場合には前述したように、ハニカム状パネル３２の多数のセル３３内にフェノールフォーム３４を埋設し、このハニカム状パネル３２にカバー３５を被せたものとしているが、もちろんこのようなものに限定されることはなく、仮囲い板１１に沿わせることができるものであればよい。
【００２５】
以上のように構成した本発明の仮囲い板用止着具を使用して、防音パネルとしたパネル状体を仮囲い板に止着するには、以下のようにして行なう。
【００２６】
先ず、建設現場や資材置場を包囲するそれぞれの仮囲い板１１の内側上下に、先に述べたような防音パネルとしたパネル状体（図８参照）を一枚ずつ沿わせる。
【００２７】
次に、仮囲い板１１に沿わせたそれぞれのパネル状体２１の四隅において、それぞれの上から、パネル状体２１の側端部２１ａに第二止着体２の押付部５の外端５ａを突き当て、これら側端部２１ａ寄りの仮囲い板１１の側面体１２の下に第二止着体２の連結部６を入り込ませ、さらにこれら側面体１２に上から第一止着体１の押付部３を突き当てる。
【００２８】
そこで、ボルト９にねじ込んだナット１０を締め付けると、第一止着体１の押付部３が、仮囲い板１１の側面体１２を上から押し付け、第二止着体２の連結部６が、仮囲い板１１の側面体１２を下から押し付ける共に、第二止着体２の押付部５の外端５ａが、それぞれのパネル状体２１の側端部２１ａを上から押し付け、第一止着体１の連結部４の外端４ａが、第二止着体２の押付部５を上から押し付けることになる。
【００２９】
このようにすることにより、仮囲い板１１の側面体１２は、これら第一止着体１の押付部３と第二止着体２の連結部６によって挟み付けられ、第二止着体２の押付部５の外端５ａにより、パネル状体２１の側端部２１ａが押し付けられた状態が維持されるので、図２に示したように、仮囲い板１１の上下に沿わせたパネル状体２１を、その仮囲い板１１に確りと止めておくことができる。
【００３０】
なお、仮囲い板１１の側面体１２とパネル状体２１との間に隙間が生じている場合には、前記通孔７と通孔８に挿通するボルト９の位置を、これら通孔７の長孔と通孔８の長孔をずらして変えることにより、第一止着体１の押付部３の外端３ａから第二止着体２の押付部５の外端５ａまでの長さＬを調節すれば、その隙間に丁度対応するものとすることができる。
【００３１】
よって、本発明の仮囲い板用止着具は、防音パネル等のパネル状体を仮囲い板に確りと止めておくことができると共に、その止着作業も簡単に行なえるものとなる。
【符号の説明】
【００３２】
１  第一止着体
２  第二止着体
３  押付部
３ａ  外端
４  連結部
４ａ  外端
５  押付部
５ａ  外端
６  連結部
７  通孔
８  通孔
９  ボルト
１０  ナット
１１  仮囲い板
１２  側面体
２１  パネル状体
２１ａ  側端部
【図１】
0006384669.tif 000002
【図２】
0006384669.tif 000003
【図３】
0006384669.tif 000004
【図４】
0006384669.tif 000005
【図５】
0006384669.tif 000006
【図６】
0006384669.tif 000007
【図７】
0006384669.tif 000008
【図８】
0006384669.tif 000009
【図９】
0006384669.tif 000010
【図１０】
0006384669.tif 000011